(57)【要約】【課題】  楽器本体の転倒を防ぐことができると共に、鍵盤蓋の開閉動作によって鍵盤蓋の後端部が室内の壁面を傷付けないように、楽器本体を簡単に設置することができる鍵盤楽器を提供する。【解決手段】  楽器本体１の後面の下部に、楽器本体１の転倒を防ぐための転倒防止具８を、少なくとも鍵盤蓋１０の開閉動作時に鍵盤蓋１０の後端部１０ａが楽器本体１の後面から後方に突出する長さＬ２よりも長く（Ｌ１＞Ｌ２）形成して設けた。従って、楽器本体１を室内に設置する際に、転倒防止具８の後端部を室内の壁面９に当接させることにより、楽器本体１の後面と室内の壁面９との間を規制して、楽器本体１の後面と室内の壁面９との間に適切な隙間を設けることができる。このため、鍵盤蓋１０を開閉動作させた際に、鍵盤蓋１０の後端部１０ａが室内の壁面９に接触しないように、楽器本体１を簡単に設置することができる。【選択図】        図２
2011075723.tif 000002
【特許請求の範囲】
【請求項１】
鍵盤部を収容した楽器本体に前記鍵盤部を覆うための鍵盤蓋が支点部を中心に上下方向に回転可能に取り付けられ、前記鍵盤蓋が前記楽器本体の後方に傾いた状態で前記楽器本体の後面に当接して起立することにより、前記鍵盤部を開放する鍵盤楽器において、
前記楽器本体の前記後面の下部に、前記楽器本体の転倒を防ぐための転倒防止具を、少なくとも前記鍵盤蓋の開閉動作時に前記鍵盤蓋の後端部が前記楽器本体の前記後面から後方に突出する長さよりも長く形成して設けたことを特徴とする鍵盤楽器。
【請求項２】
前記鍵盤蓋が前記支点部を中心に上下方向に回転する際に、前記鍵盤蓋が閉じた状態から完全に開くまでの中間付近を境にして、前記鍵盤蓋に負荷を付与して前記鍵盤蓋の回転動作を制動するダンパ部材を備えていることを特徴とする請求項１に記載の鍵盤楽器。
【請求項３】
前記転倒防止具は、前記鍵盤蓋が前記楽器本体の後方に傾いた状態で前記楽器本体の前記後面に当接して起立した際に、前記鍵盤蓋の上端部が前記楽器本体の前記後面から後方に突出する長さと同程度の長さに形成されていることを特徴とする請求項１または請求項２に記載の鍵盤楽器。
【請求項４】
前記鍵盤蓋が前記楽器本体の後方に傾いた状態で前記楽器本体の前記後面に当接して起立した際における前記前記鍵盤蓋の前記上端部の後面には、緩衝部材が設けられていることを特徴とする請求項１〜請求項３のいずれかに記載の鍵盤楽器。
【発明の詳細な説明】
【技術分野】
【０００１】
この発明は、ピアノやオルガンなどの鍵盤楽器に関する。
【背景技術】
【０００２】
従来、アップライトピアノなどの鍵盤楽器においては、特許文献１に記載されているように、楽器本体を室内の床に安定した状態で設置するために、転倒防止装置を備えた構成のもが知られている。
【先行技術文献】
【特許文献】
【０００３】
【特許文献１】特開２００７−２９８８４５号公報
【０００４】
このような鍵盤楽器の転倒防止装置は、楽器全体を搭載する底板部と、楽器本体の後面に取り付けられる立板部と、この立板部の後面下部から楽器本体の後面よりも後方に突出して折り曲げられて楽器本体の前後方向における傾きを調整するための角度調整部とを備えている。この場合、角度調整部は、底板部に対して立板部を上下方向に変位させるアジャスタを備えている。
【０００５】
このような従来の鍵盤楽器の転倒防止装置では、楽器本体を底板部上に載置して楽器本体の後面に立板部を取り付け、この状態で楽器本体の後方に突出した角度調整部のアジャスタを操作して立板部を楽器本体と共に上下方向に変位させることにより、楽器本体の前後方向の傾きを調整している。
【発明の概要】
【発明が解決しようとする課題】
【０００６】
しかしながら、このような従来の鍵盤楽器では、転倒防止装置によって楽器本体の前後方向における傾きを調整して楽器本体を室内の床上に安定した状態で設置することができても、楽器本体の後面と室内の壁面との間隔を鍵盤楽器に応じて適切に規制することができないという問題がある。
【０００７】
例えば、鍵盤楽器においては、鍵盤部を収容した楽器本体に、鍵盤部を覆うための鍵盤蓋が、支点部を中心に上下方向に回転可能に取り付けられ、この鍵盤蓋が楽器本体の後方に傾いた状態で楽器本体の後面に当接して起立することにより、鍵盤部を開放するように構成したものがある。この種の鍵盤楽器では、鍵盤蓋を回転させて開く際に、鍵盤蓋の後端部が楽器本体の後方に突出しながら回転するため、この鍵盤蓋の後端部が室内の壁面をこすって傷付けることがある。
【０００８】
このため、このような鍵盤楽器では、楽器本体に設けられた転倒防止装置における角度調整部の後端部を室内の壁面に当接させた状態で、楽器本体を室内に設置しても、楽器本体の後面と室内の壁面との間に、鍵盤蓋の後端部が室内の壁面に接触しない程度の十分な間隔を設けることができず、転倒防止装置における角度調整部の後端部と室内の壁面との間に更に隙間を設けなければならないため、楽器本体の設置作業が面倒であるという問題がある。
【０００９】
この発明が解決しようとする課題は、楽器本体の転倒を防ぐことができると共に、鍵盤蓋の開閉動作によって鍵盤蓋の後端部が室内の壁面を傷付けないように、楽器本体を簡単に設置することができる鍵盤楽器を提供することである。
【課題を解決するための手段】
【００１０】
この発明は、上記課題を解決するために、次のような構成要素を備えている。
請求項１に記載の発明は、鍵盤部を収容した楽器本体に前記鍵盤部を覆うための鍵盤蓋が支点部を中心に上下方向に回転可能に取り付けられ、前記鍵盤蓋が前記楽器本体の後方に傾いた状態で前記楽器本体の後面に当接して起立することにより、前記鍵盤部を開放する鍵盤楽器において、前記楽器本体の前記後面の下部に、前記楽器本体の転倒を防ぐための転倒防止具を、少なくとも前記鍵盤蓋の開閉動作時に前記鍵盤蓋の後端部が前記楽器本体の前記後面から後方に突出する長さよりも長く形成して設けたことを特徴とする鍵盤楽器である。
【００１１】
請求項２に記載の発明は、前記鍵盤蓋が前記支点部を中心に上下方向に回転する際に、前記鍵盤蓋が閉じた状態から完全に開くまでの中間付近を境にして、前記鍵盤蓋に負荷を付与して前記鍵盤蓋の回転動作を制動するダンパ部材を備えていることを特徴とする請求項１に記載の鍵盤楽器である。
【００１２】
請求項３に記載の発明は、前記転倒防止具が、前記鍵盤蓋を前記楽器本体の後方に傾けた状態で前記楽器本体の前記後面に当接させて起立させた際に、前記鍵盤蓋の上端部が前記楽器本体の前記後面から後方に突出する長さと同程度の長さに形成されていることを特徴とする請求項１または請求項２に記載の鍵盤楽器である。
【００１３】
請求項４に記載の発明は、前記鍵盤蓋が前記楽器本体の後方に傾いた状態で前記楽器本体の前記後面に当接して起立した際における前記前記鍵盤蓋の前記上端部の後面に、緩衝部材が設けられていることを特徴とする請求項１〜請求項３のいずれかに記載の鍵盤楽器である。
【発明の効果】
【００１４】
この発明によれば、楽器本体を室内に設置する際に、楽器本体の後面下部に設けられた転倒防止具の後端部を室内の壁面に当接させることにより、楽器本体の後面と室内の壁面との間に適切な隙間を設けることができる。このため、鍵盤蓋を開閉動作させた際に、鍵盤蓋の後端部が楽器本体の後面から突出しても、この突出した鍵盤蓋の後端部が室内の壁面に接触しないようにすることができる。これにより、楽器本体の転倒を防ぐことができると共に、楽器本体の後面と室内の壁面との間を適切に規制して、鍵盤蓋の開閉動作によって鍵盤蓋の後端部が室内の壁面を傷付けないように、楽器本体を簡単に設置することができる。
【図面の簡単な説明】
【００１５】
【図１】この発明を適用した鍵盤楽器の一実施形態において鍵盤蓋を開いた状態を示した斜視図である。
【図２】図１の鍵盤楽器を示した側面図である。
【図３】図２の鍵盤楽器において転倒防止具を示した要部の拡大斜視図である。
【図４】図１の鍵盤楽器のＡ−Ａ矢視において鍵盤蓋を閉じた状態を示した拡大断面図である。
【図５】図４の鍵盤楽器において鍵盤蓋を開いた状態を示した拡大断面図である。
【図６】図２において鍵盤蓋を開閉する際に鍵盤蓋の後端部が楽器本体の後面から後方に突出した状態を示した要部の拡大側面図である。
【図７】図２において鍵盤蓋の上端部に設けられた緩衝部材を示した要部の拡大側面図である。
【図８】図４および図５の鍵盤楽器において第１のダンパ部材の動作状態を示した要部の拡大断面図である。
【図９】図４および図５の鍵盤楽器において第２のダンパ部材の動作状態を示した要部の拡大断面図である。
【図１０】図９の第２のダンパ部材を分解して示した拡大図である。
【図１１】図４の状態における第１のダンパ部材を示した要部の拡大断面図である。
【図１２】図４の状態における第２のダンパ部材を示した要部の拡大断面図である。
【図１３】図９における第２のダンパ部材のニュートラル領域において鍵盤蓋が開く方向に回転する状態を示した要部の拡大図である。
【図１４】図１３のニュートラル領域において鍵盤蓋が更に開く方向に回転してアーム部材とばね制御部材とが連動を開始する状態を示した要部の拡大図である。
【図１５】図５の状態における第１のダンパ部材を示した要部の拡大断面図である。
【図１６】図５の状態における第２のダンパ部材を示した要部の拡大断面図である。
【図１７】この発明の鍵盤楽器に用いられる蓋開閉装置の変形例において鍵盤蓋を閉じた状態を示した拡大断面図である。
【図１８】図１７の鍵盤楽器において鍵盤蓋を開いた状態を示した拡大断面図である。
【発明を実施するための形態】
【００１６】
以下、図１〜図１６を参照して、この発明を適用した鍵盤楽器の一実施形態について説明する。
この鍵盤楽器は、図１および図２に示すように、楽器本体１を備えている。この楽器本体１は、脚部を兼ねる左右両側の一対の側板２と、この一対の側板２の後部に設けられた後板３と、これら側板２と後板３との内側上部に設けられた底板４とを備えている。
【００１７】
これにより、楽器本体１の上部には、図１および図２示すように、鍵盤部５を収容する鍵盤ボックス部６が構成されている。また、この楽器本体１の後板３の内側下部には、フットペダル７が設けられており、この後板３の両側に位置する一対の側板２の後端面の下部には、図２および図３に示すように、転倒防止具８が着脱可能に取り付けられている。
【００１８】
この転倒防止部具８は、図３に示すように、側板２の後端面の下部に着脱可能にビス止めされる断面コ字形状の取付部８ａと、この取付部８ａの下部から楽器本体１の後方に突出して室内の床上に配置される断面コ字形状の規制部８ｂとを備え、これら全体がＬ字形状に形成されている。この場合、規制部８ｂは、楽器本体１の後方に突出する長さＬ１が、後述する所定の長さに形成されている。これにより、転倒防止具８は、楽器本体１が前後方向に転倒するのを阻止するように構成されている。
【００１９】
この場合、鍵盤ボックス部６内に収容される鍵盤部５は、図４および図５に示すように、白鍵５ａおよび黒鍵５ｂを備え、これら白鍵５ａおよび黒鍵５ｂが鍵盤シャーシ（図示せず）上に上下方向に回転可能に取り付けられた状態で多数配列された構成になっている。また、この楽器本体１には、図１〜図５に示すように、鍵盤部５を覆う鍵盤蓋１０が蓋開閉装置１１によって開閉可能に取り付けられている。
【００２０】
この鍵盤蓋１０は、蓋開閉装置１１によって上下方向に回転することにより、図４に示すように、楽器本体１の上部に配置されて楽器本体１を閉じた際に鍵盤部５を覆い隠し、また図５に示すように、楽器本体１の後方（図５では右側）に少し傾いた状態で起立して楽器本体１を開いた際に鍵盤部５を上方に露出させるように構成されている。
【００２１】
この鍵盤蓋１０の蓋開閉装置１１は、図４および図５に示すように、楽器ケース１の一対の側板２間に回転可能に設けられた回転支持軸１２と、この回転支持軸１２に一体的に取り付けられたアーム部材１３とを備え、このアーム部材１３が鍵盤蓋１０の下面に取り付けられた構成になっている。
【００２２】
これにより、鍵盤蓋１０は、アーム部材１３が取り付けられた回転支持軸１２を中心に、その回転支持軸１２およびアーム部材１３と共に上下方向に回転する際に、図６に示すように、鍵盤蓋１０の後端部１０ａが楽器本体１の後板３の後方に突出しながら回転し、図２および図５に示すように、楽器本体１の後方（図５では右側）に少し傾いた状態で起立するように構成されている。
【００２３】
このため、楽器本体１の側板２における後端面の下部に設けられた転倒防止具８は、図３および図６に示すように、楽器本体１の後板３から後方（図３では右下側）に突出する規制部８ｂの長さＬ１が、鍵盤蓋１０の開閉動作時における鍵盤蓋１０の後端部１０ａが楽器本体１の後板３の後方（図６では右側）に最も突出する長さＬ２よりも長く（Ｌ１＞Ｌ２）形成される。
【００２４】
この場合、鍵盤蓋１０は、図２に示すように、楽器本体１の後方（図２では右側）に少し傾いた状態で起立した際に、鍵盤蓋１０の前端部である上端部１０ｂが楽器本体１の後板３から後方に最も突出する長さＬ３が、鍵盤蓋１０の後端部１０ａが楽器本体１の後板３から後方に最も突出する長さＬ２よりも長く（Ｌ３＞Ｌ２）なるように構成されている。これにより、鍵盤蓋１０は、図２に示すように、楽器本体１の後方（図２では右側）に少し傾いた状態で起立した際に、鍵盤蓋１０の前端部である上端部１０ｂが室内の壁面９に接近または接触するように構成されている。
【００２５】
このため、転倒防止具８は、図３および図６に示すように、楽器本体１の後板３から後方に突出する規制部８ｂの長さＬ１が、鍵盤蓋１０の前端部である上端部１０ｂが楽器本体１の後板３から後方に最も突出する長さＬ３と同じか、それよりも少し長く（Ｌ１≧Ｌ３＞Ｌ２）形成されていることが望ましい。
【００２６】
また、鍵盤蓋１０が回転して楽器本体１の後方に傾いた状態で起立した際における鍵盤蓋１０の上端部１０ｂの後面両側には、図７に示すように、クッション材などの緩衝部材１０ｃが設けられている。この緩衝部材１０ｃは、図２に示すように、鍵盤蓋１０の前端部である上端部１０ｂが室内の壁面９に接近または接触する際に、鍵盤蓋１０の上端部１０ｂと室内の壁面９との間に、手や指が挿入可能な程度の隙間を有する厚みに形成されている。
【００２７】
ところで、鍵盤蓋１０の蓋開閉装置１１は、図４、図５および図８に示すように、鍵盤蓋１０に対して常に一定の負荷を与えて鍵盤蓋１０の回転動作を制動する第１のダンパ部材１４と、図９に示すように、鍵盤蓋１０の閉動作に応じて鍵盤蓋１０に負荷を与えて鍵盤蓋１０の回転動作を制動し、且つ鍵盤蓋１０の開動作に応じて鍵盤蓋１０に負荷を与えて鍵盤蓋１０の回転動作を制動する第２のダンパ部材１５と、を備えている。
【００２８】
第１のダンパ部材１４は、図８に示すように、鍵盤蓋１０に対して常に一定の負荷を与えためのロータリーダンパ１６と、回転支持軸１２に設けられて鍵盤蓋１０と共に回転するほぼ扇形状のダンパ歯車１７とを備えている。ロータリーダンパ１６は、一対の側板２の内面に固定されたダンパ本体１６ａと、このダンパ本体１６ａ内に回転可能に設けられて常に一定の負荷が付与されるダンパ軸１６ｂと、このダンパ軸１６ｂがダンパ本体１６ａから突出した端部に設けられた小歯車であるピニオン１６ｃとを備えている。
【００２９】
ダンパ歯車１７は、図８、図１１および図１５に示すように、ピニオン１６ｃよりも十分に大きい径の歯車であり、全体がほぼ扇形状に形成され、その要となる部分が回転支持軸１２に一体的に設けられ、この状態で鍵盤蓋１０およびアーム部材１３と共に回転するように構成されている。このダンパ歯車１７の外周縁部には、ロータリーダンパ１６のピニオン１６ｃが噛み合う歯部１７ａが設けられている。
【００３０】
これにより、ロータリーダンパ１６は、図８、図１１および図１５に示すように、鍵盤蓋１０を開閉操作すると、その鍵盤蓋１０の回転動作に伴ってアーム部材１３および回転支持軸１２が回転し、この回転支持軸１２の回転に応じてダンパ歯車１７が回転し、このダンパ歯車１７の歯部１７ａに噛み合ってダンパ軸１６ｂのピニオン１６ｃが回転する際に、ダンパ軸１６ｂに一定の負荷が付与されていることにより、鍵盤蓋１０の回転動作に一定の負荷を与えて鍵盤蓋１０の回転動作を制動するように構成されている。
【００３１】
一方、第２のダンパ部材１５は、図９および図１０に示すように、鍵盤蓋１０に負荷を付与するためのばね部材であるねじりコイルばね１８と、鍵盤蓋１０の閉動作に応じてねじりコイルばね１８の弾性変形を次第に増大させ、且つ鍵盤蓋１０の開動作に応じてねじりコイルばね１８の弾性変形を次第に増大させるばね規制部材１９と、を備えている。
【００３２】
ねじりコイルばね１８は、図９および図１０に示すように、コイル状のばね本体部が回転支持軸１２に取り付けられていると共に、このばね本体部の両端部１８ａ、１８ｂがほぼ９０度の角度で開いた状態でばね本体部の外周側に向けて延出された構成になっている。これにより、ねじりコイルばね１８は、ばね本体部の両端部１８ａ、１８ｂが互いに離れる方向、または互いに接近する方向に弾性変位することにより、ばね本体部が弾力的にねじれて弾性変形するように構成されている。
【００３３】
ばね規制部材１９は、図９、図１３、図１４に示すように、鍵盤蓋１０が完全に閉じた状態から鍵盤蓋１０が完全に開いた状態までの途中の状態で、ねじりコイルばね１８が初期状態に戻るニュートラル領域Ａと、図１２に示すように、ニュートラル領域Ａを境にして鍵盤蓋１０が閉じる際における鍵盤蓋１０の閉動作に応じてねじりコイルばね１８の弾性変形を増大させる第１ばね変形領域Ｂとを有している。
【００３４】
また、このばね規制部材１９は、図１４に示すように、ニュートラル領域Ａを境にして鍵盤蓋１０が開く際における鍵盤蓋１０の開動作に応じてねじりコイルばね１８の弾性変形を増大させる第２ばね変形領域Ｃを更に有している。これにより、ばね規制部材１９は、図４および図５に示すように、鍵盤蓋１０の開閉動作に応じて、ニュートラル領域Ａ、第１ばね変形領域Ｂ、第２ばね変形領域Ｃのいずれかに切り替えるように構成されている。
【００３５】
すなわち、このばね規制部材１９を構成する要素は、図９および図１０に示すように、楽器ケース１に設けられた固定部材２０と、この固定部材２０に回転可能に支持されてねじりコイルばね１８が取り付けられる回転支持軸１２と、この回転支持軸１２に取り付けられて鍵盤蓋１０が設けられるアーム部材１３と、回転支持軸１２に回転可能に取り付けられてアーム部材１３とほぼ連動して回転するばね制御部材２１と、このばね制御部材２１をアーム部材１３の回転と共に間欠的に連動させる間欠連動部２２とを備えている。
【００３６】
この場合、固定部材２０は、図９、図１０および図１２に示すように、楽器ケース１内における底板３の後部上（図１２では右側部上）に固定され、その上部が楽器ケース１の前側（図１２では左側）に向けて突出した構成になっている。この固定部材２０における上部の突出した先端部（図１０では左端部）には、第１固定片２０ａと第２固定片２０ｂとが設けられている。
【００３７】
第１固定片２０ａは、図９および図１０に示すように、固定部材２０の突出した先端部に約４５度の角度で斜め上側に向けて突出して設けられ、ねじりコイルばね１８の一端部１８ａが反時計回り方向（図９では上側）から弾接し、ねじりコイルばね１８の一端部１８ａが反時計回り方向（図９では下側）に向けて弾性変位するのを阻止するように構成されている。
【００３８】
また、第２固定片２０ｂは、図９および図１０に示すように、固定部材２０の突出した先端部に約４５度の角度で斜め下側に向けて突出して設けられ、ねじりコイルばね１８の他端部１８ｂが時計回り方向（図９では右斜め下側）から弾接し、ねじりコイルばね１８の他端部１８ｂが時計回り方向（図９では左斜め上側）に向けて弾性変位するのを阻止するように構成されている。
【００３９】
これにより、固定部材２０の第１固定片２０ａと第２固定片２０ｂとは、図９および図１０に示すように、その開き角度が約９０度の角度に開き、この開き角度に対向する角度（約２７０度の角度）がねじりコイルばね１８の両端部１８ａ、１８ｂの可動範囲で、この可動範囲内においてねじりコイルばね１８の両端部１８ａ、１８ｂを弾性変位させるように構成されている。
【００４０】
一方、ばね制御部材２１は、図９および図１０に示すように、全体がほぼコ字形状に形成され、その中間部が回転支持軸１２に回転自在に取り付けられている。このばね制御部材２１には、第１可動片２１ａと第２可動片２１ｂとが設けられている。第１可動片２１ａは、図９に示すように、ばね制御部材２１の上部側に設けられて、ねじりコイルばね１８の一端部１８ａに時計回り方向（図９では左下側）から弾接し、ねじりコイルばね１８の一端部１８ａを第１固定片２０ａから離れる時計回り方向（図９では右斜め上方）に向けて弾性変位させるように構成されている。
【００４１】
第２可動片２１ｂは、図９に示すように、ばね制御部材２１の下部側に設けられて、ねじりコイルばね１８の他端部１８ｂに反時計回り方向（図９では左上側）から弾接して、ねじりコイルばね１８の他端部１８ｂを第２固定片２０ｂから離れる反時計回り方向（図９では右斜め下側）に向けて弾性変位させるように構成されている。このばね制御部材２１の第１可動片２１ａと第２可動片２１ｂとは、図９に示すように、第１固定片２０ａと第２固定片２０ｂとの開き角度とほぼ同じ角度つまり約９０度の角度に開き、この状態で回転支持軸１２を中心にアーム部材１３と共に間欠的に連動して回転するように構成されている。
【００４２】
また、このばね規制部材１９は、図９に示すように、ニュートラル領域Ａの状態のときに、ねじりコイルばね１８の一端部１８ａが第１固定片２０ａに弾接して位置規制された状態で、このねじりコイルばね１８の一端部１８ａに第１可動片２１ａが弾接すると共に、ねじりコイルばね１８の他端部１８ｂが第２固定片２０ｂに弾接して位置規制された状態で、このねじりコイルばね１８の他端部１８ｂに第２可動片２１ｂが弾接することにより、ねじりコイルばね１８が初期状態になるように構成されている。
【００４３】
また、このばね規制部材１９は、第１ばね変形領域Ｂの状態のときに、図１２に示すように、ねじりコイルばね１８の一端部１８ａが固定部材２０の第１固定片２０ａに弾接して位置規制された状態で、ねじりコイルばね１８の他端部１８ｂをばね制御部材２１の第２可動片２１ｂが第２固定片２０ｂから離れる方向、つまり反時計回り方向に向けて弾性変位させることにより、ねじりコイルばね１８を弾性変形させると共に、ねじりコイルばね１８の弾性変形を増大させて、鍵盤蓋１０に負荷を付与するように構成されている。
【００４４】
さらに、このばね規制部材１９は、第２ばね変形領域Ｃの状態のときに、図１６に示すように、ねじりコイルばね１８の他端部１８ｂが固定部材２０の第２固定片２０ｂに弾接して位置規制された状態で、ねじりコイルばね１８の一端部１８ａをばね制御部材２１の第１可動片２１ａが第１固定片２０ａから離れる方向、つまり時計回り方向に向けて弾性変位させることにより、ねじりコイルばね１８を弾性変形させると共に、ねじりコイルばね１８の弾性変形を増大させて、鍵盤蓋１０に負荷を付与するように構成されている。
【００４５】
ところで、アーム部材１３とばね制御部材２１とを間欠的に連動させる間欠連動部２２は、ばね規制部材１９がニュートラル領域Ａの状態のときに、図９、図１３および図１４に示すように、アーム部材１３とばね制御部材２１との連動を一旦解除し、ばね規制部材１９が第１ばね変形領域Ｂの状態のときに、図１２に示すように、アーム部材１３とばね制御部材２１とを連動させると共に、ばね規制部材１９が第２ばね変形領域Ｃの状態のときに、図１６に示すように、アーム部材１３とばね制御部材２１とを連動させるように構成されている。
【００４６】
すなわち、この間欠連動部２２は、ばね制御部材２１の第１可動片２１ａと第２可動片２１ｂとの間に位置するアーム部材１３の箇所に設けられて、第１可動片２１ａと第２可動片２１ｂとのいずれかに当接する当接部である。この間欠連動部２２は、図９、図１３、図１４に示すように、ばね規制部材１９がニュートラル領域Ａの状態のときに、第１可動片２１ａと第２可動片２１ｂとの間を移動することにより、アーム部材１３とばね制御部材２１との連動を解除するように構成されている。
【００４７】
また、この間欠連動部２２は、図１２に示すように、ばね規制部材１９が第１ばね変形領域Ｂの状態のときに、第２可動片２１ｂに当接して、この第２可動片２１ｂを第２固定片２０ｂから離れる反時計回り方向に移動させると共に、図１６に示すように、ばね規制部材１９が第２ばね変形領域Ｃの状態のときに、第１可動片２１ａに当接して、この第１可動片２１ａを第１固定片２０ａから離れる時計回り方向に移動させるように構成されている。
【００４８】
次に、このような鍵盤楽器の鍵盤蓋１０を開閉する場合について説明する。
まず、鍵盤蓋１０を閉じた状態から開く場合には、図４、図８および図１５に示すように、第１のダンパ部材１４が鍵盤蓋１０に対して常に一定の負荷を与えて鍵盤蓋１０の回転動作を制動すると共に、図５および図１６に示すように、鍵盤蓋１０の開動作に応じて第２のダンパ部材１５が鍵盤蓋１０に負荷を与えて鍵盤蓋１０の回転動作を制動する。
【００４９】
すなわち、第１のダンパ部材１４は、図４および図８に示すように、鍵盤蓋１０が開く方向に回転作すると、その鍵盤蓋１０の回転動作に伴って回転支持軸１２が回転し、この回転支持軸１２の回転に応じてダンパ歯車１７が回転し、このダンパ歯車１７の歯部１７ａにロータリーダンパ１６のピニオン１６ｃが噛み合って回転する。
【００５０】
このとき、ロータリーダンパ１６のダンパ軸１６ｂには、常に一定の負荷が与えられているので、このダンパ軸１６ｂに設けられたピニオン１６ｃがダンパ歯車１７の歯部１７ａに噛み合って回転する際に、ピニオン１６ｃ、回転支持軸１２、および鍵盤蓋１０に一定の負荷が加わり、この負荷によって鍵盤蓋１０の回転動作が制動される。
【００５１】
また、第２のダンパ部材１５は、図４および図５に示すように、鍵盤蓋１０が閉じた状態から開く方向に回転すると、鍵盤蓋１０が図１２に示す閉じた状態から図９に示す所定角度（約１５度の角度）に開くまで、つまり第１ばね変形領域Ｂからニュートラル領域Ａに到達するまでの間では、間欠連動部２２がねじりコイルばね１８のばね力によってばね制御部材２１の第２可動片２１ｂに当接していることにより、ばね制御部材２１がアーム部材１３と共に時計回り方向に連動して回転する。
【００５２】
このときには、図１２に示すように、ねじりコイルばね１８の一端部１８ａが固定部材２０の第１固定片２０ａに弾接して位置規制された状態で、ばね制御部材２１の第１可動片２１ａが第１固定片２０ａに接近する方向に向けて移動すると共に、ねじりコイルばね１８の他端部１８ｂが第２可動片２１ｂに弾接した状態で、この第２可動片２１ｂが第２固定片２０ｂに接近する方向に移動する。
【００５３】
これにより、ねじりコイルばね１８の他端部１８ｂは、第２可動片２１ｂと共に第２固定片２０ｂに接近する方向に弾性変位する。このときには、ねじりコイルばね１８は、第１ばね変形領域Ｂの状態からニュートラル領域Ａの初期状態に戻るように、弾性復帰しようとするので、ばね力が徐々に減少しながら鍵盤蓋１０を開く方向に作用する。このため、鍵盤蓋１０を軽い力で開き始めることができる。
【００５４】
そして、図９に示すように、ねじりコイルばね１８の他端部１８ｂが第２固定片２０ｂに弾接すると、ニュートラル領域Ａの状態になる。このときには、ねじりコイルばね１８の他端部１８ｂが第２固定片２０ｂによって位置規制されると共に、第２可動片２１ｂがねじりコイルばね１８の他端部１８ｂに弾接した状態で第２固定片２０ｂの延長線上に位置する。
【００５５】
また、ねじりコイルばね１８の一端部１８ａは、第１固定片２０ａに弾接して位置規制された状態で、第１可動片２１ａがねじりコイルばね１８の一端部１８ａに弾接した状態で第１固定片２０ａの延長線上に位置する。これにより、ねじりコイルばね１８は、初期状態に戻り、そのばね力を鍵盤蓋１０に付与しないため、鍵盤蓋１０は第１のダンパ部材１４のみによって開動作が制動される。
【００５６】
このニュートラル領域Ａの状態では、図１３および図１４に示すように、鍵盤蓋１０が開く方向に回転しても、ばね制御部材２１はアーム部材１３と共に回転せず、図９に示す状態を維持する。すなわち、このニュートラル領域Ａの状態では、図１３に示すように、アーム部材１３の間欠連動部２２がばね制御部材２１の第２可動片２１ｂから離れて、第１可動片２１ａに向けて移動する。
【００５７】
このため、アーム部材１３の間欠連動部２２がばね制御部材２１の第１可動片２１ａと第２可動片２１ｂとのいずれにも当接しないので、ばね制御部材２１は回転せず、アーム部材１３が鍵盤蓋１０と共に回転する。このときには、ねじりコイルばね１８のばね力が鍵盤蓋１０に付与されないため、鍵盤蓋１０は第１のダンパ部材１４のみによって開動作が制動される。
【００５８】
そして、鍵盤蓋１０が開く方向に更に回転して、図１４に示すように、鍵盤蓋１０が所定角度（約９０度の角度）に開くと、アーム部材１３の間欠連動部２２がばね制御部材２１の第１可動片２１ａに当接するので、第２ばね変形領域Ｃの状態になる。この状態で、鍵盤蓋１０が約９０度の角度から更に開く方向に回転すると、図５および図１６に示すように、鍵盤蓋１０が後方（図１６では右側）に向けて傾いて起立し、楽器ケース１を開放して鍵盤部６を露出させる。
【００５９】
このときには、図１６に示すように、アーム部材１３の間欠連動部２２が、ばね制御部材２１の第１可動片２１ａを押し上げて第１固定片２０ａから離れる時計回り方向に移動させる。すると、図１６に示すように、第１可動片２１ａがねじりコイルばね１８の一端部１８ａを第１固定片２０ａから離れる時計回り方向に弾性変位させる。
【００６０】
これにより、ねじりコイルばね１８は、ばね本体部がねじれるように弾性変形し、そのばね力を鍵盤蓋１０に付与する。このときには、鍵盤蓋１０が開くに伴ってねじりコイルばね１８の弾性変形が次第に増大し、鍵盤蓋１０の開動作がねじりコイルばね１８によって制動される。
【００６１】
このため、鍵盤蓋１０は、ねじりコイルばね１８によって制動されることにより、鍵盤蓋１０を開く力が徐々に重くなり、鍵盤蓋１０の開動作を次第に遅くすることができる。このときは、第１のダンパ部材１４におけるバックラッシによるピニオン１５ｃとダンパ歯車１７の歯部１７ａとの噛み合いの遊びを防ぐことができるので、第１のダンパ部材１４によっても鍵盤蓋１０が良好に制動される。
【００６２】
次に、鍵盤蓋１０を開いた状態から閉じる場合について説明する。
この場合には、図５、図８および図１１に示すように、第１のダンパ部材１４が鍵盤蓋１０に対して常に一定の負荷を与えて鍵盤蓋１０の回転動作を制動すると共に、図５および図１６に示すように、鍵盤蓋１０の閉動作に応じて第２のダンパ部材１５が鍵盤蓋１０に負荷を与えて鍵盤蓋１０の回転動作を制動する。
【００６３】
すなわち、第１のダンパ部材１４は、図８に示すように、鍵盤蓋１０が閉じる方向に回転するときにも、その鍵盤蓋１０の回転動作に伴って回転支持軸１２が回転し、この回転支持軸１２の回転に応じてダンパ歯車１７が回転し、このダンパ歯車１７の歯部１７ａにロータリーダンパ１６のピニオン１６ｃが噛み合って回転する。
【００６４】
このときにも、ロータリーダンパ１６のダンパ軸１６ｂには、常に一定の負荷が与えられているので、このダンパ軸１６ｂに設けられたピニオン１６ｃがダンパ歯車１７の歯部１７ａに噛み合って回転する際に、ピニオン１６ｃ、回転支持軸１２、および鍵盤蓋１０に一定の負荷が加わり、この負荷によって鍵盤蓋１０の回転動作が制動される。
【００６５】
また、第２のダンパ部材１５は、図１６に示すように、鍵盤蓋１０が完全に開いた状態から閉じる方向に回転すると、鍵盤蓋１０が開いた状態から図９に示す所定角度（約９０度の角度）に閉じるまで、つまり第２ばね変形領域Ｃからニュートラル領域Ａに到達するまでの間では、間欠連動部２２がねじりコイルばね１８のばね力によってばね制御部材２１の第１可動片２１ａに当接していることにより、ばね制御部材２１がアーム部材１３と共に反時計回り方向に連動して回転する。
【００６６】
このときには、図１６に示すように、ねじりコイルばね１８の他端部１８ｂが固定部材２０の第２固定片２０ｂに弾接して位置規制された状態で、ばね制御部材２１の第２可動片２１ｂが第２固定片２０ｂに接近する方向に移動すると共に、ねじりコイルばね１８の一端部１８ａが第１可動片２１ａに弾接した状態で、この第１可動片２１ａが第１固定片２０ａに接近する方向に移動する。
【００６７】
これにより、ねじりコイルばね１８の一端部１８ａは、第１可動片２１ａと共に第１固定片２０ａに接近する方向に弾性変位する。このときには、ねじりコイルばね１８は、第２ばね変形領域Ｃの状態からニュートラル領域Ａの初期状態に戻るように、弾性復帰しようとするので、ばね力が徐々に減少しながら鍵盤蓋１０を閉じる方向に作用する。このため、鍵盤蓋１０を軽い力で閉じ始めることができる。
【００６８】
そして、図１４に示すように、ねじりコイルばね１８の一端部１８ａが第１固定片２０ａに弾接すると、ニュートラル領域Ａの状態になる。このときには、ねじりコイルばね１８の一端部１８ａが第１固定片２０ａによって位置規制されると共に、第１可動片２１ａがねじりコイルばね１８の一端部１８ａに弾接した状態で第１固定片２０ａの延長線上に位置する。
【００６９】
また、ねじりコイルばね１８の他端部１８ｂは、第２固定片２０ｂに弾接して位置規制された状態で、第２可動片２１ｂがねじりコイルばね１８の他端部１８ｂに弾接した状態で第２固定片２０ｂの延長線上に位置する。これにより、ねじりコイルばね１８は、初期状態に戻り、そのばね力を鍵盤蓋１０に付与しないため、鍵盤蓋１０は第１のダンパ部材１４のみによって閉動作が制動される。
【００７０】
このニュートラル領域Ａの状態では、図１３および図１４に示すように、鍵盤蓋１０が閉じる方向に回転しても、ばね制御部材２１はアーム部材１３と共に回転せず、鍵盤蓋１０を開く際と同様、図１４に示す状態を維持する。すなわち、このニュートラル領域Ａの状態では、図１３に示すように、アーム部材１３の間欠連動部２２がばね制御部材２１の第１可動片２１ａから離れて、第２可動片２１ｂに向けて移動する。
【００７１】
このため、アーム部材１３の間欠連動部２２がばね制御部材２１の第１可動片２１ａと第２可動片２１ｂとのいずれにも当接しないので、ばね制御部材２１は回転せず、アーム部材１３が鍵盤蓋１０と共に回転する。このときには、ねじりコイルばね１８のばね力が鍵盤蓋１０に付与されないため、鍵盤蓋１０は第１のダンパ部材１４のみによって閉動作が制動される。
【００７２】
そして、鍵盤蓋１０が閉じる方向に更に回転して、図９に示すように、鍵盤蓋１０が所定角度（約１５度の角度）に閉じると、アーム部材１３の間欠連動部２２がばね制御部材２１の第２可動片２１ｂに当接するので、第１ばね変形領域Ｂの状態になる。この状態で、鍵盤蓋１０が約１５度の角度から更に閉じる方向に回転すると、図４および図１２に示すように、鍵盤蓋１０が楽器ケース１上に配置されて鍵盤部６を覆って塞ぐ。
【００７３】
このときには、図１２に示すように、アーム部材１３の間欠連動部２２がばね制御部材２１の第２可動片２１ｂを押し下げて第２固定片２０ｂから離れる反時計回り方向に移動させる。すると、図１２に示すように、第２可動片２１ｂがねじりコイルばね１８の他端部１８ｂを第２固定片２０ｂから離れる反時計回り方向に弾性変位させる。
【００７４】
これにより、ねじりコイルばね１８は、ばね本体部がねじれるように弾性変形し、そのばね力を鍵盤蓋１０に付与する。このときには、鍵盤蓋１０が閉じるのに伴ってねじりコイルばね１８の弾性変形が次第に増大し、鍵盤蓋１０の閉動作がねじりコイルばね１８によって制動される。
【００７５】
このため、鍵盤蓋１０は、その閉動作がねじりコイルばね１８によって制動されることにより、鍵盤蓋１０を閉じる力が徐々に重くなり、鍵盤蓋１０の閉動作を次第に遅くすることができる。このときも、第１のダンパ部材１４におけるバックラッシによるピニオン１５ｃとダンパ歯車１７の歯部１７ａとの噛み合いの遊びを防ぐことができるので、第１のダンパ部材１４によっても鍵盤蓋１０が良好に制動される。
【００７６】
このように、この鍵盤楽器によれば、鍵盤部５を収容した楽器本体１に鍵盤部５を覆うための鍵盤蓋１０を蓋開閉装置１１によって上下方向に回転可能に取り付け、この鍵盤蓋１０を楽器本体１の後方に傾けた状態で楽器本体１の後面に当接させて起立させることにより鍵盤部５を開放する共に、楽器本体１の後面下部に、楽器本体１の転倒を防ぐための転倒防止具８を、少なくとも鍵盤蓋１０の開閉動作時に鍵盤蓋１０の後端部１０ａが楽器本体１の後面から後方に突出する長さＬ２よりも長い長さＬ１（＞Ｌ２）に形成して設けたので、この転倒防止部８によって楽器本体１の転倒を防ぐことができると共に、鍵盤蓋１０の後端部１０ａが室内の壁面９を傷付けないように、楽器本体１を簡単に設置することができる。
【００７７】
すなわち、楽器本体１を室内に設置する際には、楽器本体１の後面に設けられた転倒防止具８の後端部を室内の壁面９に当接させることにより、楽器本体１の後面と室内の壁面９との間に適切な隙間を簡単に設けることができる。このため、鍵盤蓋１０を蓋開閉装置１１によって開閉動作させた際に、鍵盤蓋１０の後端部１０ａが楽器本体１の後面から後方に突出しても、この突出した鍵盤蓋１０の後端部１０ａが室内の壁面９に接触しないようにすることができる。これにより、楽器本体１の転倒を防ぐことができると共に、楽器本体１の後面と室内の壁面９との間を適切に規制して、鍵盤蓋１０の後端部１０ａが室内の壁面９を傷付けないように、楽器本体１を簡単に且つ容易に設置することができる。
【００７８】
また、この鍵盤楽器では、楽器本体１の後面下部に転倒防止具８をビス止めによって着脱可能に取り付けた構成であるから、楽器本体１を運送する際に、転倒防止具８を取り外して別部品として梱包することができ、これにより楽器本体１および転倒防止具８を容易に且つコンパクトに梱包して搬送することができる。また、楽器本体１を室内に設置する際には、楽器本体１の後面下部に転倒防止具８をビス止めによって簡単に取り付けることができるので、この転倒防止具８によって楽器本体１の後面と室内の壁面９との間を適切に規制することができる。
【００７９】
この場合、蓋開閉装置１１は、鍵盤蓋１０が上下方向に回転する際に、鍵盤蓋１０が閉じた状態から完全に開くまでの中間付近を境にして、鍵盤蓋１０に負荷を付与して鍵盤蓋１０の回転動作を制動する第１、第２の各ダンパ部材１４、１５を備えているので、鍵盤蓋１０が閉じる際においても、また鍵盤蓋１０を開く際においても、鍵盤蓋１０の開閉動作に応じて鍵盤蓋１０の回転動作を確実に且つ良好に制動することができる。
【００８０】
すなわち、この鍵盤蓋１０の蓋開閉装置１１では、鍵盤蓋１０を閉じる際に、第１のダンパ部材１４が鍵盤蓋１０に対して常に一定の負荷を与えて鍵盤蓋１０の回転動作を制動することができると共に、鍵盤蓋１０の閉動作に応じて第２のダンパ部材１５が鍵盤蓋１０に負荷を与えて鍵盤蓋１０の回転動作を制動することができるので、鍵盤蓋１０の閉じる力を重くして、鍵盤蓋１０の閉動作を遅くすることができ、これにより鍵盤蓋１０を安全に閉じることができる。
【００８１】
また、この鍵盤蓋１０の蓋開閉装置１１では、鍵盤蓋１０を開く際に、第１のダンパ部材１４が鍵盤蓋１０に対して常に一定の負荷を与えて鍵盤蓋１０の回転動作を制動することができると共に、鍵盤蓋１０の開動作に応じて第２のダンパ部材１５が鍵盤蓋１０に負荷を与えて鍵盤蓋１０の回転動作を制動することができるので、鍵盤蓋１０の開く力を重くして、鍵盤蓋１０の開動作を遅くすることができ、これにより鍵盤蓋１０を安全に開くことができる。
【００８２】
この場合には、鍵盤蓋１０を完全に開く際に、鍵盤蓋１０の開く力を重くして、鍵盤蓋１０の開動作をゆっくり開くことができることにより、鍵盤蓋１０の後端部１０ａが室内の壁面９に接触している状態で、鍵盤蓋１０を強く押して強制的に開くと、室内の壁面９に傷を付けてしまうことがある。すなわち、楽器本体１の後面と室内の壁面９との間に十分な隙間がなく、鍵盤蓋１０の後端部１０ａが室内の壁面９に接触した状態で、鍵盤蓋１０を強く押して強制的に開くと、室内の壁面９に傷を付けてしまう。しかし、この鍵盤楽器では、楽器本体１の転倒を防ぐ転倒防止具８によって楽器本体１の後面と室内の壁面９との間に適切な隙間を確保することができることにより、このような問題を未然に回避することができる。
【００８３】
すなわち、この鍵盤楽器では、転倒防止具８における規制部８ｂの後方への突出長さＬ１が、鍵盤蓋１０を楽器本体１の後方に傾けた状態で楽器本体１の後面に当接させて起立させた際に、鍵盤蓋１０の上端部１０ｂが楽器本体１の後面から後方に突出する長さＬ３と同じか、それよりも少し長い長さ（Ｌ１≧Ｌ３＞Ｌ２）で設けられていることにより、楽器本体１の後面と室内の壁面９との間に適切な隙間を確保することができ、これにより鍵盤蓋１０の後端部１０ａが室内の壁面９に接触するのを確実に防ぐことができる。
【００８４】
また、鍵盤蓋１０が楽器本体１の後方に傾いた状態で楽器本体１の後面に当接して起立した際における鍵盤蓋１０の上端部１０ｂの後面両側には、クッション材などの緩衝部材１０ｃが設けられているので、鍵盤蓋１０を回転させて楽器本体１の後方に傾けた状態で楽器本体１の後面に当接させて起立させた際に、鍵盤蓋１０の上端部１０ｂが室内の壁面９に接近して、鍵盤蓋１０の上端部１０ｂと室内の壁面９との間に手や指を挟んでも、緩衝部材１０によって手や指の怪我を防ぐことができると共に、鍵盤蓋１０の上端部１０ｂが室内の壁面９に接触するのを緩衝部材１０によって防ぎ、室内の壁面９を傷付けないようにすることができる。
【００８５】
なお、上述した一実施形態では、鍵盤蓋１０の蓋開閉装置１１が第１、第２の各ダンパ部材１４、１５を備えている場合について述べたが、必ずしも第１、第２の各ダンパ部材１４、１５を備えている必要はなく、図１７および図１８に示す変形例のように、蓋開閉装置３０が１つのダンパ部材３１を備えた構成でも良い。
【００８６】
すなわち、この変形例の蓋開閉装置３０は、楽器本体１内の後端部に位置する一対の側板５間に架け渡された支持軸３２と、鍵盤蓋１０の下面における両側に取り付けられて支持軸３２にそれぞれ回転自在に取り付けられたアーム部材１３と、このアーム部材１３にそれぞれ取り付けられて支持軸３２を中心に鍵盤蓋１０と共に回転する連動歯車１７と、楽器本体１の側板５の内面にそれぞれ設けられて鍵盤蓋１０の開閉動作を制動するダンパ部材３１とを備えている。
【００８７】
これにより、鍵盤蓋１０は、図１７および図１８に示すように、支持軸３２を中心にアーム部材１３および連動歯車１７と共に上下方向に回転するように構成されている。この場合、連動歯車１７は、図１７および図１８に示すように、支持軸３２を中心に鍵盤蓋１０がアーム部材１３と共に回転する際に、鍵盤蓋１０の開閉動作をダンパ部材３１に伝達するように構成されている。
【００８８】
すなわち、この連動歯車１７は、図１７および図１８に示すように、全体がほぼ扇形状に形成されており、その外周面には、歯部１７ａが設けられている。また、この連動歯車１７は、その要となる部分が支持軸３２に回転可能に取り付けられている。これにより、連動歯車１７は、鍵盤蓋１０と共に回転するアーム部材１３の回転に伴って支持軸３２を中心に回転するように構成されている。
【００８９】
ダンパ部材３１は、図１７および図１８に示すように、一対の側板５の内面に取り付けられた装置本体３３を備えている。この装置本体３３の内部には、図示しないが、鍵盤蓋１０と共に回転する回転体と、この回転体の回転を制動する制動ばねとが設けられている。この場合、回転体には、連動歯車１７の歯部１７ａに噛み合って回転する歯車部３４が装置本体３３の外部に露出して設けられている。
【００９０】
また、制動ばねは、コイルばねであり、一端部が回転体に取り付けられ、他端部が装置本体３３に取り付けられている。これにより、制動ばねは、自由状態のときにニュートラル状態となり、このニュートラル状態を境にして回転体が一方向に回転すると、収縮変形して回転体に負荷を付与し、またニュートラル状態を境にして回転体が逆方向に回転すると、膨張変形して回転体に負荷を付与するように構成されている。
【００９１】
これにより、ダンパ部材３１は、鍵盤蓋１０が閉じた状態から完全に開くまでの中間位置で、制動ばねがニュートラル状態となり、この中間位置から鍵盤蓋１０が閉じる際に制動ばねが収縮変形して鍵盤蓋１０に負荷を付与し、また中間位置から鍵盤蓋１０が開く際に制動ばねが膨張変形して鍵盤蓋１０に負荷を付与するように構成されている。
【００９２】
このような蓋開閉装置３０では、鍵盤蓋１０を上方に回転させて鍵盤部８を開放させて露出させる際に、鍵盤蓋１０の前端部（図１７では左端部）を持ち上げて蓋開閉装置３０の支持軸３２を中心に鍵盤蓋１０を上方に回転させると、蓋開閉装置３０のアーム部材１３が支持軸３２を中心に連動歯車１７と共に回転し、この連動歯車１７の回転に伴ってダンパ部材３１の歯車部３４が回転する。
【００９３】
このときには、ダンパ部材３１の制動ばねが収縮している状態から膨張するように変形するため、鍵盤蓋１０を軽い力で開く始めることができる。そして、鍵盤蓋１０が中間位置に開くと、ダンパ部材３１の制動ばねがニュートラル状態になる。この後、鍵盤蓋１０を更に開く際には、ダンパ装置１５の制動ばねが徐々に膨張するように変形し、鍵盤蓋１０に負荷を付与するので、鍵盤蓋１０の回転動作が徐々に重くなり、鍵盤蓋１０がゆっくり後方に回転して開く。
【００９４】
そして、鍵盤蓋１０が回転して完全に開くと、図１８に示すように、鍵盤蓋１０の両側に設けられた一対のアーム部材１３が楽器本体１内の支持軸３２に支持された状態で、鍵盤蓋１０が楽器本体１の後方に少し傾いて起立する。これにより、図１８に示すように、鍵盤部８が開放されるので、鍵盤部８を押鍵操作して演奏することができる。
【００９５】
また、鍵盤蓋１０を閉じる際には、図１８において鍵盤蓋１０の上部を手前側（図１８では左側）に引き寄せる。すると、蓋開閉装置３０の支持軸３２を中心に鍵盤蓋１０が下方に回転する。このときには、蓋開閉装置３０のアーム部材１３が支持軸３２を中心に連動歯車１７と共に回転し、この連動歯車１７の回転に伴ってダンパ部材３１の歯車部３４が回転する。すると、ダンパ部材３１の制動ばねが膨張している状態から収縮するように変形するため、鍵盤蓋１０を軽い力で閉じ始めることができる。
【００９６】
そして、鍵盤蓋１０が中間位置まで閉じると、ダンパ部材３１の制動ばねがニュートラル状態になる。この後、鍵盤蓋１０を更に閉じる際には、ダンパ部材３１の制動ばねが徐々に収縮するように変形し、鍵盤蓋１０に負荷を付与するので、鍵盤蓋１０の回転動作が徐々に重くなり、鍵盤蓋１０がゆっくり回転して閉じる。これにより、鍵盤蓋１０が回転して完全に閉じると、図１７に示すように、鍵盤蓋１０の両側に設けられた一対のアーム部材１３が楽器本体１内の支持軸３２に支持された状態で、鍵盤蓋１０が楽器本体１の上部に配置されて鍵盤部８を覆う。
【００９７】
このように、この鍵盤楽器の蓋開閉装置３０によれば、鍵盤蓋１０が上下方向に回転する際に、鍵盤蓋１０が閉じた状態から完全に開くまでの中間付近を境にして、鍵盤蓋１０に負荷を付与して鍵盤蓋１０の回転動作を制動するダンパ部材３１を備えているので、上述した実施形態と同様、鍵盤蓋１０が閉じる際においても、また鍵盤蓋１０を開く際においても、鍵盤蓋１０の開閉動作に応じて鍵盤蓋１０の回転動作を確実に且つ良好に制動することができる。
【００９８】
すなわち、この蓋開閉装置３０では、鍵盤蓋１０を閉じる際に、鍵盤蓋１０の閉動作に応じてダンパ部材３１が鍵盤蓋１０に負荷を与えて鍵盤蓋１０の回転動作を制動することができるので、鍵盤蓋１０の閉じる力を重くして、鍵盤蓋１０の閉動作を遅くすることができ、これにより鍵盤蓋１０を安全に閉じることができる。また、鍵盤蓋１０を開く際に、鍵盤蓋１０の開動作に応じてダンパ部材３１が鍵盤蓋１０に負荷を与えて鍵盤蓋１０の回転動作を制動することができるので、鍵盤蓋１０の開く力を重くして、鍵盤蓋１０の開動作を遅くすることができ、これにより鍵盤蓋１０を安全に開くことができる。
【００９９】
この場合にも、鍵盤蓋１０を完全に開く際に、鍵盤蓋１０の開く力を重くして、鍵盤蓋１０の開動作をゆっくり開くことができることにより、鍵盤蓋１０の後端部１０ａが室内の壁面９に接触している状態で、鍵盤蓋１０を強く押して強制的に開くと、室内の壁面９に傷を付けてしまうことがあるが、この鍵盤楽器においても、上述した実施形態と同様に、楽器本体１の転倒を防ぐ転倒防止具８によって楽器本体１の後面と室内の壁面９との間に適切な隙間を確保することができることにより、このような問題を未然に回避することができる。
【符号の説明】
【０１００】
１  楽器本体
２  一対の側板
３  後板
５  鍵盤部
８  転倒防止具
８ａ  取付部
８ｂ  規制部
１０  鍵盤蓋
１０ａ  後端部
１０ｂ  上端部
１０ｃ  緩衝部材
１１、３０  蓋開閉装置
１２  回転支持軸
１３  アーム部材
１４  第１のダンパ部材
１５  第２のダンパ部材
３１  ダンパ部材
３２  支持軸
Ｌ１  転倒防止具の規制部の長さ
Ｌ２  楽器本体の後面から後方に突出する鍵盤蓋の後端部の突出長さ
Ｌ３  楽器本体の後面から後方に突出する鍵盤蓋の上端部の突出長さ
【図１】
2011075723.tif 000003
【図２】
2011075723.tif 000004
【図３】
2011075723.tif 000005
【図４】
2011075723.tif 000006
【図５】
2011075723.tif 000007
【図６】
2011075723.tif 000008
【図７】
2011075723.tif 000009
【図８】
2011075723.tif 000010
【図９】
2011075723.tif 000011
【図１０】
2011075723.tif 000012
【図１１】
2011075723.tif 000013
【図１２】
2011075723.tif 000014
【図１３】
2011075723.tif 000015
【図１４】
2011075723.tif 000016
【図１５】
2011075723.tif 000017
【図１６】
2011075723.tif 000018
【図１７】
2011075723.tif 000019
【図１８】
2011075723.tif 000020